(57)【特許請求の範囲】
【請求項１】
駆動源で駆動する出力軸に、内側耕耘軸アタッチメントを連結し、内側耕耘軸アタッチメントの外側に中央耕耘軸アタッチメントを連結し、内側耕耘軸アタッチメントの内側耕耘軸にフランジを介して耕耘爪を備え、中央耕耘軸アタッチメントの中央耕耘軸にフランジを介して耕耘爪を備え、この中央耕耘軸に草が巻付くことを防止する草巻付き防止部材を備え、出力軸で各耕耘軸を廻して前記耕耘爪で耕耘するロータリ耕耘装置において、
前記草巻付き防止部材は、
前記中央耕耘軸に所定間隔をおいて配置した延長部と、延長部の両端で折曲げた一対の折曲部からなる略コ字を呈し、
一対の折曲部の端部を中央耕耘軸に溶接し、
一対の折曲部のうち、一方を、中央耕耘軸のフランジに溶接して接触し、かつ他方を、内側耕耘軸の耕耘爪に接触又は殆ど隙間がない状態に配置したものであり、
この草巻付き防止部材を備えた中央耕耘軸を、内側耕耘軸に着脱自在に取付けたことを特徴とする草巻付き防止部材付きロータリ耕耘装置。
【請求項２】
駆動源で駆動する出力軸に、内側耕耘軸アタッチメントを連結し、内側耕耘軸アタッチメントの外側に中央耕耘軸アタッチメントを連結し、内側耕耘軸アタッチメントの内側耕耘軸にフランジを介して耕耘爪を備え、中央耕耘軸アタッチメントの中央耕耘軸にフランジを介して耕耘爪を備え、この中央耕耘軸に草が巻付くことを防止する草巻付き防止部材を備え、出力軸で各耕耘軸を廻して前記耕耘爪で耕耘するロータリ耕耘装置において、
前記草巻付き防止部材は、
前記中央耕耘軸に所定間隔をおいて配置した延長部と、延長部の一端で折曲げた折曲部からなる略Ｌ字を呈し、
この折曲部の端部を中央耕耘軸に接合し、かつ折曲部を、前記内側耕耘軸の耕耘爪に接触又は殆ど隙間がない状態に配置し、
前記延長部の他端を、中央耕耘軸のフランジに接合したものであり、
この草巻付き防止部材を備えた中央耕耘軸を、内側耕耘軸に着脱自在に取付けたことを特徴とする草巻付き防止部材付きロータリ耕耘装置。
【発明の詳細な説明】
【０００１】
【発明の属する技術分野】
本発明は、耕耘爪で土壌を耕す際に耕耘軸に草が巻き付くことを防ぐ草巻付き防止部材付きロータリ耕耘装置に関する。
【０００２】
【従来の技術】
ロータリ耕耘装置で土壌を耕す際に、耕耘軸に草が巻き付くと、巻付いた草の除去に手間がかかり作業性が低下する。このため、草の巻付きを防ぐように構成したロータリ耕耘装置が、例えば実公平４−３２００６号公報「耕耘機における耕耘輪装置」に提案されている。
【０００３】
この技術は、耕耘軸に沿わせてプレートを配置するとともにプレートを耕耘軸の半径方向外側に向けて張出し、張出したプレートで耕耘軸に草が巻き付くことを阻止するものである。
しかし、耕耘軸をプレートに取り付けると、土壌の耕耘中に土壌がプレートに貼り付き、貼り付いた土壌で重量が増加しエンジン出力にロスが生じる虞れがある。
【０００４】
エンジン出力のロスを避ける例として、実用新案登録第２５６９２５７号公報「耕耘機における草巻付防止装置」が知られている。
この技術は、耕耘軸のブラケットにロッドの一端を取り付ける片持ち支持で、ロッドを耕耘軸から所定間隔離した状態で耕耘軸に沿わせて配置し、このロッドで耕耘軸に草が巻き付くことを阻止するものである。
しかし、ロッドを片持ち支持とすることで他端側が開放されており、開放された他端側から草が侵入して耕耘軸に巻き付いてしまう虞れがある。加えて、ロッドが片持ち支持のため、ロッドの他端側に荷重がかかるとロッドが変形しやすい。
【０００５】
エンジン出力のロスを避け、かつ草の巻付きやロッドの変形を防止ぐ例として、実開昭６０−１０４０４号公報「耕耘爪軸ロータの草巻付き防止装置」が知られている。
この技術は、車体中心側から外側に向けて複数の耕耘軸を同軸上に連結し、各々の耕耘軸にフランジを介して耕耘爪を取付け、隣接するフランジの各々の貫通孔にロッドの両端を差し込むことにより、ロッドを耕耘軸から所定間隔離した状態で耕耘軸に沿わせて配置し、このロッドで耕耘軸に草が巻き付くことを阻止するものである。
【０００６】
【発明が解決しようとする課題】
この装置は、隣接するフランジの各々の貫通孔にロッドの両端を差し込むことでロッドを取り付けるので、ロッドを差し込む貫通孔を同軸上に揃える必要がある。しかし、フランジは、それぞれ個別の耕耘軸に取り付けたものなので、これらの貫通孔を同軸上に揃えるためには組付け作業に手間がかかる。
【０００７】
そこで、本発明の目的は、エンジン出力のロスを避け、草の巻付きや変形を防止ぎ、かつ組付けが容易な草巻付き防止部材付きロータリ耕耘装置を提供することにある。
【０００８】
【課題を解決するための手段】
上記目的を達成するために請求項１は、駆動源で駆動する出力軸に、内側耕耘軸アタッチメントを連結し、内側耕耘軸アタッチメントの外側に中央耕耘軸アタッチメントを連結し、内側耕耘軸アタッチメントの内側耕耘軸にフランジを介して耕耘爪を備え、中央耕耘軸アタッチメントの中央耕耘軸にフランジを介して耕耘爪を備え、この中央耕耘軸に草が巻付くことを防止する草巻付き防止部材を備え、出力軸で各耕耘軸を廻して前記耕耘爪で耕耘するロータリ耕耘装置において、前記草巻付き防止部材は、前記中央耕耘軸に所定間隔をおいて配置した延長部と、延長部の両端で折曲げた一対の折曲部からなる略コ字を呈し、一対の折曲部の端部を中央耕耘軸に溶接し、一対の折曲部のうち、一方を、中央耕耘軸のフランジに溶接して接触し、かつ他方を、内側耕耘軸の耕耘爪に接触又は殆ど隙間がない状態に配置したものであり、この草巻付き防止部材を備えた中央耕耘軸を、内側耕耘軸に着脱自在に取付けたことを特徴とする。
また、請求項２において、草巻付き防止部材は、前記中央耕耘軸に所定間隔をおいて配置した延長部と、延長部の一端で折曲げた折曲部からなる略Ｌ字を呈し、この折曲部の端部を中央耕耘軸に接合し、かつ折曲部を、前記内側耕耘軸の耕耘爪に接触又は殆ど隙間がない状態に配置し、前記延長部の他端を、中央耕耘軸のフランジに接合したものであり、この草巻付き防止部材を備えた中央耕耘軸を、内側耕耘軸に着脱自在に取付けたことを特徴とする。
【０００９】
草巻付き防止部材を略コ字又は略Ｌ字を呈するように形成した。これにより、耕耘軸アタッチメントと草巻付き防止部材との間に間隔が開く。このため、耕耘軸アタッチメントを廻して土壌を耕耘する際に、耕耘した土壌は、耕耘軸アタッチメントと草巻付き防止部材との間の間隔を通過する。従って、耕耘軸アタッチメントに土壌が貼り付くことを防ぐ。
【００１０】
また、草巻付き防止部材の両端を共に耕耘軸アタッチメントに密に接合した。このため、耕耘軸アタッチメントを廻して土壌を耕耘する際に、草巻付き防止部材の両端から、草巻付き防止部材と耕耘軸アタッチメントとの間に草が侵入することを防ぐ。
加えて、草巻付き防止部材の両端を共に耕耘軸アタッチメントで支えることで、草巻付き防止部材の変形を防止する。
【００１１】
請求項１，２は、草巻付き防止部材を単一の耕耘軸アタッチメントに取付けたことを特徴とする。
草巻付き防止部材を単一の耕耘軸アタッチメントに取付けることで、複数の耕耘軸アタッチメントの着脱が簡単になり、着脱作業を手間をかけないで容易にできる。
【００１２】
【発明の実施の形態】
本発明の実施の形態を添付図に基づいて以下に説明する。なお、「前」、「後」は作業者から見た方向に従う。また、図面は符号の向きに見るものとする。
図１は本発明に係る草巻付き防止部材付きロータリ耕耘装置（第１実施の形態）の側面図である。
草巻付き防止部材付きロータリ耕耘装置１０は、ケーシング１１の上端に駆動源（エンジン）１４を取付け、エンジン１４に動力伝達機構（図２に示す）を介して出力軸１８を連結し、出力軸１８に耕耘軸アタッチメントユニット２０を連結するとともに、耕耘軸アタッチメントユニット２０に草巻付き防止部材を備えた歩行型自走式耕耘機である。
【００１３】
このロータリ耕耘装置１０は、エンジン１４で出力軸１８を回転させ、出力軸１８で耕耘軸アタッチメントユニット２０を廻すとともにハンドル４５で走行操作することで耕耘軸アタッチメントユニット２０の耕耘爪２６・・・（・・・は複数個を示す）で土壌を耕耘する。その際に、抵抗棒４６を土壌の中に差込むことにより、耕耘爪２６・・・による耕深量を設定するとともに耕耘爪２６・・・の牽引力に対する抵抗力を付加する。
【００１４】
図２は図１の２−２線断面図である。
動力伝達機構１５は、エンジン１４（図１に示す）の駆動力で回転するピニオン１６と、ピニオン１６に噛み合ったベベルギヤ１７とからなり、ピニオン１６及びベベルギヤ１７をケーシング１１の内部に配置したものである。
出力軸１８は、動力伝達機構１５のベベルギヤ１７にセレーション１９で噛み合い、左右端１８ａ，１８ｂがケーシング１１から突出した部材である。
【００１５】
耕耘軸アタッチメントユニット２０は、出力軸１８の左右端１８ａ，１８ｂに連結した左右の耕耘軸アタッチメント（内側耕耘軸アタッチメント）２１，２１と、各々の内側耕耘軸アタッチメント２１，２１の外側に連結した左右の耕耘軸アタッチメント（中間耕耘軸アタッチメント）３０，３０と、これらの中間耕耘軸アタッチメント３０，３０の外側に連結した左右の耕耘軸アタッチメント（外側耕耘軸アタッチメント）４０，４０とからなる。
なお、左右の耕耘軸アタッチメントは同一部材であり、以下左側のアタッチメント２１，３０，４０について説明して右側のアタッチメント２１，３０，４０の説明を省略する。
【００１６】
左側の内側耕耘軸アタッチメント２１は、出力軸１８の左端部１８ａに嵌め込み可能な内側耕耘軸２２と、内側耕耘軸２２の略中央に取付けた第１フランジ２３と、第１フランジ２３に取付けた大径筒体状の外側草巻付き防止部材２４と、外側草巻付き防止部材２４の反対側の第１フランジ２３にボルト・ナット２５で取付けた４個の耕耘爪２６・・・とからなる。
【００１７】
左側の内側耕耘軸アタッチメント２１は、出力軸１８の左端部に内側耕耘軸２２を嵌め込み、外側草巻付き防止部材２４、内側耕耘軸２２及び出力軸１８の左端部に第１ピン２７を挿入することで出力軸１８の左端部に連結する。
外側草巻付き防止部材２４は、大径筒体に形成した部材であり、大径筒体で内側耕耘軸２２を覆うことにより、内側耕耘軸２２に草が巻き付くことを防ぐ。また、外側草巻付き防止部材２４をケーシング１１まで延すことにより、ケーシング１１に取付けたカバー１２を覆い、外側草巻付き防止部材２４とカバー１２との間の隙間から外側草巻付き防止部材２４内に土壌や草が侵入することを防ぐ。なお、カバー１２でケーシング１１の開口を塞ぐことでシール材１３を保護する。
【００１８】
左側の中央耕耘軸アタッチメント３０は、内側耕耘軸２２の左端部に嵌め込み可能な中央耕耘軸３１と、中央耕耘軸３１の左端に取付けた第２フランジ３２と、第２フランジ３２の外側にボルト・ナット２５で取付けた４個の耕耘爪２６・・・と、中央耕耘軸３１に両端を密接する様に上下に取付けた略コ字の草巻付き防止部材（下側の草巻付き防止部材は想像線で示す）３３とからなる。
【００１９】
草巻付き防止部材３３は、左折曲部３５が第２フランジ３２に接触し、かつ右折曲部３６が耕耘爪２６・・・に接触又は殆ど隙間がない状態に配置されている。これにより、左折曲部３５と第２フランジ３２との間や、右折曲部３６と耕耘爪２６・・・との間に草が侵入することを防ぐ。
左側の中央耕耘軸アタッチメント３０は、内側耕耘軸２２の左端に中央耕耘軸３１を嵌め込み、中央耕耘軸３１及び内側耕耘軸２２に第２ピン３８を挿入することで内側耕耘軸２２の左端に取付ける。
【００２０】
左側の外側耕耘軸アタッチメント４０は、中央耕耘軸３１の左端部に嵌め込み可能な外側耕耘軸４１と、外側耕耘軸４１の左端に取付けたディスク４２とからなる。
左側の外側耕耘軸アタッチメント４０は、中央耕耘軸３１の左端部に外側耕耘軸４１を嵌め込み、外側耕耘軸４１及び中央耕耘軸３１に第３ピン４３を挿入することで中央耕耘軸３１の左端部に取付ける。
これにより、内側耕耘軸２２、中央耕耘軸３１及び外側耕耘軸４１は、エンジン１４（図１に示す）の駆動力で出力軸１８を回転することにより一体に回転する。
なお、左側の耕耘軸アタッチメントユニット２０については図３でさらに詳しく説明する。
【００２１】
図３は本発明に係る草巻付き防止部材付きロータリ耕耘装置（第１実施の形態）の要部分解図である。
左側の内側耕耘軸アタッチメント２１は、内側草巻付き防止部材２４の貫通孔２４ａ及び内側耕耘軸２２の貫通孔２２ａを出力軸１８の貫通孔１８ｃに合わせ、これらの貫通孔２４ａ，２２ａ，１８ｃに第１ピン２７を矢印の如く差し込むことにより出力軸１８に着脱自在に取付ける。
【００２２】
また、左側の中央耕耘軸アタッチメント３０は、中央耕耘軸３１の貫通孔３１ａを内側耕耘軸２２の貫通孔２２ｂに合わせ、これらの貫通孔３１ａ，２２ｂに第２ピン３８を矢印の如く差し込むことにより内側耕耘軸２２に着脱自在に取付ける。
中央草巻付き防止部材３３は、中央耕耘軸３１に所定間隔をおいて配置した延長部３４、延長部３４の左右端で折曲げた左右の折曲部３５、３６からなる略コ字を呈し、左右の折曲部３５、３６の端部３５ａ、３６ａを共に中央耕耘軸３１に密接する様にして溶接し、かつ左側の折曲部３５を第２フランジ３２に溶接したものである。
【００２３】
左側の外側耕耘軸アタッチメント４０は、外側耕耘軸４１の貫通孔４１ａを中央耕耘軸３１の貫通孔３１ｂに合わせ、これらの貫通孔４１ａ，３１ｂに第３ピン４３を矢印の如く差し込むことにより中央耕耘軸３１に着脱自在に取付ける。
【００２４】
図４は図３の４−４線断面図であり、内側耕耘軸２２に矩形の第１フランジ２３を取付け、第１フランジ２３に４個の耕耘爪２６・・・をボルト・ナット２５・・・で取付け、第１フランジ２３に外側草巻付き防止部材２４を取付けた状態を示す。外側草巻付き防止部材２４は、大径筒体に形成することで草が巻き付くことを防ぐ。
【００２５】
図５は図３の５−５線断面図であり、中央耕耘軸３１に矩形の第２フランジ３２を取付け、第２フランジ３２に４個の耕耘爪２６・・・をボルト・ナット２５・・・で取付け、中央耕耘軸３１の上下に中央草巻付き防止部材３３を取付け、中央草巻付き防止部材３３の左側折曲部３５の端部３５ａを中央耕耘軸３１に密に接合し、かつ第２フランジ３２に中央草巻付き防止部材３３の左側折曲部３５を溶接した状態を示す。
中央草巻付き防止部材３３を中央耕耘軸３１の上下に取付けることで中央耕耘軸３１に草が巻付くことを防ぐ。
【００２６】
次に、草巻付き防止部材付きロータリ耕耘装置１０の作用を説明する。
図６（ａ），（ｂ）は本発明に係る草巻付き防止部材付きロータリ耕耘装置（第１実施の形態）の第１作用説明図であり、（ａ）は比較例１を示し、（ｂ）は実施例を示す。
（ａ）において、第１〜第３耕耘軸１００，１０１，１０２を連結し、第１、第２の耕耘軸１００，１０１に各々第１、第２のフランジ１０３，１０４を取付け、第１フランジ１０３の貫通孔１０３ａに草巻付き防止用パイプバー１０５の一端１０５ａを差し込み、第２フランジ１０４の貫通孔１０４ａに草巻付き防止用パイプバー１０５の他端１０５ｂを差し込む。この草巻付き防止用パイプバー１０５で耕耘軸に草が巻き付くことを阻止する。
【００２７】
第１、第２のフランジ１０３，１０４の貫通孔１０３ａ，１０４ａにパイプバー１０５の両端１０５ａ，１０５ｂを差し込むことでパイプバー１０５を取り付けるので、各々の貫通孔１０３ａ，１０４ａを同軸上に揃える必要がある。しかし、第１、第２のフランジ１０３，１０４は、それぞれ個別の耕耘軸１００，１０１に取り付けたものなので、これらの貫通孔１０３ａ，１０４ａを同軸上に揃える必要があり組付け作業に手間がかかる。
【００２８】
（ｂ）において、略コ字の中央草巻付き防止部材３３を中央耕耘軸３１のみに取付けた。このため、例えば内側耕耘軸２２に中央耕耘軸３１を矢印▲１▼の如く取付ける際に、内側耕耘軸２２に対する中央耕耘軸３１の位置合せを、比較例１と比べて比較的ラフに行うことができる。従って、組付け作業が簡単になり組付け作業に手間がかからない。
【００２９】
図７（ａ）〜（ｃ）は本発明に係る草巻付き防止部材付きロータリ耕耘装置（第１実施の形態）の第２作用説明図であり、（ａ）は比較例２、（ｂ）は比較例３、（ｃ）は実施例を示す。
（ａ）において、耕耘軸１１０に沿わせて草巻付き防止用プレート１１１を配置し、このプレート１１１を耕耘軸１１０の半径方向外側に向けて張出した。このため、土壌の耕耘中に土壌がプレート１１１に貼り付き、貼り付いた土壌１１２で重量が増加しエンジン出力にロスが生じる虞れがある。
【００３０】
（ｂ）において、耕耘軸１１５のブラケット１１６に草巻付き防止用ロッド１１７の一端を片持ち支持となるように取付けた。このため、草巻付き防止用ロッド１１７の他端１１７ａ側が開放された状態になり、開放された他端１１７ａ側から草が侵入して耕耘軸１１５に巻き付いてしまう虞れがある。加えて、草巻付き防止用ロッド１１７が片持ち支持のため、草巻付き防止用ロッド１１７の他端側１１７ａに荷重がかかると草巻付き防止用ロッド１１７が変形しやすい。
【００３１】
（ｃ）において、中央草巻付き防止部材３３を略コ字を呈するように形成し、左右の折曲部３５、３６の端部３５ａ、３６ａを共に中央耕耘軸３１に取付けることで、中央耕耘軸３１と中央草巻付き防止部材３３との間に間隔Ｓを開けることができる。このため、土壌の耕耘中に、中央耕耘軸３１と草巻付き防止部材３３との間の間隔Ｓを土壌が通り抜ける。従って、中央耕耘軸３１に土壌が貼り付くことを防ぎ、エンジン出力のロスを抑える。
【００３２】
また、中央草巻付き防止部材３３の端部３５ａ、３６ａを共に中央耕耘軸３１に密に接合した。このため、土壌の耕耘中に、草巻付き防止部材３３の端部３５ａ、３６ａから、中央草巻付き防止部材３３と中央耕耘軸３１との間に草が侵入することを防ぐ。
加えて、中央草巻付き防止部材３３の端部３５ａ、３６ａを共に中央耕耘軸３１で支えることで、中央草巻付き防止部材３３の変形を防ぐ。
【００３３】
図８は本発明に係る草巻付き防止部材付きロータリ耕耘装置（第２実施の形態）の要部拡大図である。なお、第１実施の形態と同一部材については同一符号を付して説明を省略する。
第２実施の形態の左側の中央耕耘軸アタッチメント５０は、図３に示す内側耕耘軸２２の左端部に嵌め込み可能な中央耕耘軸３１と、中央耕耘軸３１の左端に取付けた第２フランジ３２と、第２フランジ３２の外側にボルト・ナット２５・・・で取付けた４個の耕耘爪２６・・・と、中央耕耘軸３１に両端を密接する様に上下に取付けた略Ｌ字の草巻付き防止部材５３とからなる。
【００３４】
中央草巻付き防止部材５３は、中央耕耘軸３１に所定間隔をおいて配置した延長部５４、延長部５４の右端で折曲げた折曲部５５からなる略Ｌ字を呈し、折曲部５５の端部５５ａを中央耕耘軸３１に密に接合するとともに、延長部５４の左端５４ａを第２フランジ３２に密に接合したものである。
【００３５】
第２実施の形態は第１実施の形態と同様の効果を得ることができる。すなわち、中央草巻付き防止部材５３を中央耕耘軸３１の単体に取付ける構成としたので、組付け作業が簡単になり組付け作業に手間がかからない。
また、中央草巻付き防止部材５３の両端を共に密に接合し、かつ中央耕耘軸３１と中央草巻付き防止部材５３との間に間隔Ｓを開けた。このため、土壌の耕耘中に、土壌が間隔Ｓを通り抜けて、中央耕耘軸３１に土壌が貼り付くことを防ぎ、エンジン出力のロスを抑える。
【００３６】
さらに、中央草巻付き防止部材５３の両端を密に接合することで、土壌の耕耘中に、中央草巻付き防止部材５３の両端側から、中央草巻付き防止部材５３と中央耕耘軸３１との間の間隔Ｓに草が侵入することを防ぐ。
加えて、中央草巻付き防止部材３３の両端を支えることで、中央草巻付き防止部材５３の変形を防ぐ。
【００３７】
なお、前記実施の形態では、歩行型自走式耕耘機に草巻付き防止部材を採用した例について説明したが、その他にロータリ装置をトラクタの後部に取り付けてけん引するリヤタインロータに適用することも可能である。
また、中央草巻付き防止部材３３，５３を中央耕耘軸３１に取付けた例について説明したが、その他の例として内側耕耘軸２２や外側耕耘軸４１に取付けることも可能である。
さらに、中央草巻付き防止部材３３，５３として略コ字や略Ｌ字を呈する部材を使用した例について説明したが、その他の例として矩形状の板材の中央に大きな開口を開けてもよい。
【００３８】
【発明の効果】
本発明は上記構成により次の効果を発揮する。
請求項１は、草巻付き防止部材を略コ字に形成し、請求項２は、草巻付き防止部材を略Ｌ字に形成した。これにより、耕耘軸アタッチメントと草巻付き防止部材との間に間隔を開けることができる。このため、耕耘軸アタッチメントを廻して土壌を耕耘する際に、耕耘した土壌は、耕耘軸アタッチメントと草巻付き防止部材との間の間隔を通過させることができる。従って、耕耘軸アタッチメントに土壌が貼り付くことを防ぎ、エンジン出力のロスを抑えることができる。
【００３９】
また、草巻付き防止部材の両端を共に耕耘軸アタッチメントに密に接合した。このため、耕耘軸アタッチメントを廻して土壌を耕耘する際に、草巻付き防止部材の両端から、草巻付き防止部材と耕耘軸アタッチメントとの間に草が侵入することを防ぐことができる。
加えて、草巻付き防止部材の両端を共に耕耘軸アタッチメントで支えることで、草巻付き防止部材の変形を防止することができる。
【００４０】
さらに、草巻付き防止部材を単一の耕耘軸アタッチメントに取付けることで、複数の耕耘軸アタッチメントの着脱を簡単にすることができる。従って、複数の耕耘軸アタッチメントの着脱作業を手間をかけないで容易にできる。
【図面の簡単な説明】
【図１】本発明に係る草巻付き防止部材付きロータリ耕耘装置（第１実施の形態）の側面図
【図２】図１の２−２線断面図
【図３】本発明に係る草巻付き防止部材付きロータリ耕耘装置（第１実施の形態）の要部分解図
【図４】図３の４−４線断面図
【図５】図３の５−５線断面図
【図６】本発明に係る草巻付き防止部材付きロータリ耕耘装置（第１実施の形態）の第１作用説明図
【図７】本発明に係る草巻付き防止部材付きロータリ耕耘装置（第１実施の形態）の第２作用説明図
【図８】本発明に係る草巻付き防止部材付きロータリ耕耘装置（第２実施の形態）の要部拡大図
【符号の説明】
１０…草巻付き防止部材付きロータリ耕耘装置、１４…駆動源（エンジン）、１８…出力軸、２０…耕耘軸アタッチメントユニット、２１…耕耘軸アタッチメント（内側耕耘軸アタッチメント）、２３…第１フランジ（フランジ）、２６…耕耘爪、３０…耕耘軸アタッチメント（中央耕耘軸アタッチメント）、３１…中央耕耘軸、３２…第２フランジ（フランジ）、３３，５３…草巻付き防止部材（中央草巻付き防止部材）、３５…左側折曲部、３５ａ…左側折曲部の端部、３６…右側折曲部、３６ａ…右側折曲部の端部、４０…耕耘軸アタッチメント（外側耕耘軸アタッチメント）、５４…延長部、５５…折曲部、５５ａ…折曲部の端部。
【図１】
0003604003.tif 000002
【図２】
0003604003.tif 000003
【図３】
0003604003.tif 000004
【図４】
0003604003.tif 000005
【図５】
0003604003.tif 000006
【図６】
0003604003.tif 000007
【図７】
0003604003.tif 000008
【図８】
0003604003.tif 000009